(57)【要約】【課題】弾性材を迅速に交換できるタンブリングパネルを提供しようとする。更に、基板同士の連結・解体作業が迅速に行えるタンブリングパネルを提供しようとする。【解決手段】建物の床に敷設されるタンブリング台用のタンブリングパネルであって、基板の下面に複数の弾性部材が着脱可能に取り付けられたタンブリングパネルである。又、間隔をおいて対向する上下一対の平板と、該平板の長手方向中央部で該平板と直角に配された板状結合部とを含んで成る断面Ｈ字形の連結部材とを含み、基板の縁部が該一対の平板の間に挿入され、隣接基板の縁部が該板状結合部を隔てて該一対の平板の間に挿入され、下側の前記平板に挿通孔が形成され、止めネジが該挿通孔を挿通して下側の基板の縁部にねじ込まれ、上側の前記平板と該隣接基板とを貫通する貫通孔が形成され、開脚釘が該貫通孔に打入されたタンブリングパネル連結構造である。【選択図】　図１
2004081838.tif 000002
【特許請求の範囲】
【請求項１】
建物の床に敷設されるタンブリング台用のタンブリングパネルであって、
基板と、該基板の下面に着脱可能に取り付けられた複数の弾性部材とを含み、前記基板の下面に、前記弾性部材を着脱可能に取り付ける取り付け手段が設けられたタンブリングパネル。
【請求項２】
前記弾性部材が円柱形、円錐形、鼓形、或いは樽形のバネから成る請求項１に記載のタンブリングパネル。
【請求項３】
前記弾性部材が立方体状、直方体状、円柱状、或いは縦断面が上方から下方にかけて先太り又は先細り形状の発泡材から成る請求項１に記載のタンブリングパネル。
【請求項４】
前記取り付け手段が、下向きに開口させて取り付けられた溝形の取り付け部材を含み、前記弾性部材が、該取り付け部材の溝部に一部嵌入された請求項２又は３に記載のタンブリングパネル。
【請求項５】
建物の床に敷設されるタンブリング台用のタンブリングパネルであって、
基板と、該基板の下面に取り付けられた複数の弾性部材とを含み、
該弾性部材が、円錐形、鼓形、或いは樽形のバネ、又は縦断面が上方から下方にかけて先細り又は先太り形状の発泡材から成るタンブリングパネル。
【請求項６】
建物の床に敷設されるタンブリング台用のタンブリングパネルであって、
基板と、該基板の下面に取り付けられた複数の弾性部材とを含み、
該弾性部材が、バネと、該バネを収納するシリンダ部と、該シリンダ部に嵌合されるピストン部とを備えるタンブリングパネル。
【請求項７】
建物の床に敷設されるタンブリング台用のタンブリングパネルであって、
基板と、該基板の下面に取り付けられた複数の弾性部材とを含み、
該弾性部材が、内部に空間を有するクッション材から成り、該空間に気体又は液体が充填されたタンブリングパネル。
【請求項８】
建物の床に敷設されるタンブリング台用のタンブリングパネルであって、
基板と、該基板の下面に取り付けられた複数の弾性部材とを含み、
該弾性部材が、請求項２、３、６、７のいずれかに記載の前記弾性部材から少なくとも２以上を選択して成るタンブリングパネル。
【請求項９】
建物の床に敷設されるタンブリング台用のタンブリングパネルであって、
基板と、該基板の下面に取り付けられた複数の弾性部材とを含み、
該弾性部材が、線径６〜７ｍｍ、外径６０〜７０ｍｍ、自由長８０〜１００ｍｍ、ピッチ２２〜２８ｍｍの弦巻バネから成り、
該弦巻バネが、該弦巻バネの上端部に備える当接板を介して、該基板の下面に設置密度１２〜１６個／ｍ２で取り付けられたタンブリングパネル。
【請求項１０】
前記弾性部材が、着脱可能に取り付けられた請求項５乃至９のいずれかに記載のタンブリングパネル。
【請求項１１】
前記弾性部材が、弾性の異なる複数種の前記弾性部材から選択された請求項１乃至１０のいずれかに記載のタンブリングパネル。
【請求項１２】
床に敷設されるタンブリング台用のタンブリングパネル連結構造であって、
基板と、
該基板に隣接する隣接基板と、
間隔をおいて対向する上下一対の平板と、該平板の長手方向中央部で該平板と直角に配された板状結合部とを含んで成る断面Ｈ字形の連結部材と、
止めネジと、
開脚釘と
を含み、
該基板の縁部が該一対の平板の間に挿入され、
該隣接基板の縁部が該板状結合部を隔てて該一対の平板の間に挿入され、
下側の前記平板に挿通孔が形成され、前記止めネジが該挿通孔を挿通して下側の前記基板の縁部にねじ込まれ、
上側の前記平板と該隣接基板とを貫通する貫通孔が形成され、該開脚釘が該貫通孔に打入された
タンブリングパネル連結構造。
【発明の詳細な説明】
【０００１】
【発明の属する技術分野】
本発明は、体操の床運動や新体操等の床上の演技に使用されるタンブリング台の基板であるタンブリングパネルに関する。
【０００２】
【従来の技術】
体操の床運動や新体操等の床上の演技に使用されるタンブリング台として、図１４に示すような、建物の床３２上に間隔を置き多数配置された弾性材２と、これら弾性材２上に載置固定されたベニア合板製基板３と、基板３上に積層された樹脂発泡体より成る弾性マット４と、弾性マット４上に敷設されたカットパイルカーペットの敷物６とから構成された体操用ゆか若しくはタンブリングゆか台１０が開示されている（例えば、特許文献１参照。）。弾性材２は、エチレンプロピレンゴム及びブタジエンゴムより変性されたエチレンビニールアセテート樹脂低発泡体から成り、合成ゴム系接着剤によって基板３の下面に、多数間隔をおいて接着されている。
【０００３】
また、従来のタンブリング台の他の態様としては、図１５に示すような、基板３ａから構成されるタンブリングパネル１２の上に不図示のタンブリングマットが敷設されて構成されたタンブリング台１１がある。基板３ａの下面には、バネ８から成る弾性材２ａがネジ釘により固定されている。また、基板３ａは、基板３ａと隣接する不図示の隣接基板と、連結部材１４により連結され、多数の基板から成るタンブリングパネルが形成される。
【０００４】
【特許文献１】
実公平０６−００１７２５号公報
【０００５】
【発明が解決しようとする課題】
しかし、タンブリング台においては、弾性材をタンブリング台上の演技の種類や練習の目的等に応じて硬さを変えて用いることが理想であり、従来のタンブリング台にあっては、弾性材２や弾性材２ａのように、基板３の下面に固定されているため硬さの異なる弾性材に交換することが難しい。弾性材２にあっては、基板３の下面に接着されているため、交換するためには、接着されている弾性材２を除去する際破壊せざるを得ず、再使用は不可能である。また、替わりの弾性材２を基板３の下面に接着することは、接着剤が硬化するまで仮固定しておく作業を必要とし、時間と手間がかかる。更に、弾性材２は、使用期間が長くなると反発性が低下することもあり、新品に交換する必要性が生ずる。特に、タンブリング台上で踏みつけ力がかかる頻度の高い特定の場所では、弾性材の反発性が低下するまでの期間が短くなり、弾性材２が配置される場所によって硬さや反発性にばらつきが生ずるので、弾性材２を選択的に迅速に交換することが望まれている。また、破損した弾性材を選択的に迅速に交換することも望まれている。
【０００６】
更に、バネ８から成る弾性材２ａの場合、競技者が底つき感を感じたり、斜め蹴り等により発生する側圧によってタンブリングパネル１２が横振れを起こしたりするため、競技に悪影響を与え、競技者にとって非常に危険となる。また、弾性材２ａの設置間隔に因っては、隣接する弾性材２ａ間で板割れが発生する場合もある。
【０００７】
更にまた、従来のタンブリング台においては、基板同士を連結する際、連結部材１４を用いて、連結部材１４と連結すべき基板とをネジ止めしているので、ネジの締結作業に時間がかかり、解体の際にもネジをまわして解除するのに時間がかかる。
【０００８】
本発明は、これら問題点に鑑み、弾性材を迅速に交換できるタンブリングパネルを提供しようとする。更に、基板同士の連結・解体作業が迅速に行えるタンブリングパネル及びタンブリングパネル構造を提供しようとする。
【０００９】
【課題を解決するための手段】
本発明の要旨とするところは、建物の床に敷設されるタンブリング台用のタンブリングパネルであって、
基板と、該基板の下面に着脱可能に取り付けられた複数の弾性部材とを含み、前記基板の下面に、前記弾性部材を着脱可能に取り付ける取り付け手段が設けられたタンブリングパネルであることにある。
【００１０】
前記弾性部材は、円柱形、円錐形、鼓形、或いは樽形のバネから成り得る。
【００１１】
前記弾性部材は、立方体状、直方体状、円柱状、或いは縦断面が上方から下方にかけて先太り又は先細り形状の発泡材から成り得る。
【００１２】
前記取り付け手段は、下向きに開口させて取り付けられた溝形の取り付け部材を含み得、前記弾性部材が、該取り付け部材の溝部に一部嵌入され得る。
【００１３】
また、本発明の要旨とするところは、建物の床に敷設されるタンブリング台用のタンブリングパネルであって、
基板と、該基板の下面に取り付けられた複数の弾性部材とを含み、
該弾性部材が、円錐形、鼓形、或いは樽形のバネ、又は縦断面が上方から下方にかけて先太り又は先細り形状の発泡材から成るタンブリングパネルであることにある。
【００１４】
前記弾性部材は、バネと、該バネを収納するシリンダ部と、該シリンダ部に嵌合されるピストン部とを備え得る。
【００１５】
前記弾性部材は、内部に、気体又は液体が充填された空間を有するクッション材から成り得る。
【００１６】
また、本発明の要旨とするところは、建物の床に敷設されるタンブリング台用のタンブリングパネルであって、
基板と、該基板の下面に取り付けられた複数の弾性部材とを含み、
該弾性部材が、前記弾性部材から少なくとも２以上を選択して成るタンブリングパネルであることにある。
【００１７】
更に、本発明の要旨とするところは、建物の床に敷設されるタンブリング台用のタンブリングパネルであって、
基板と、該基板の下面に固定された複数の弾性部材とを含み、
該弾性部材が、線径６〜７ｍｍ、外径６０〜７０ｍｍ、自由長８０〜１００ｍｍ、ピッチ２２〜２８ｍｍの弦巻バネから成り、
該弦巻バネが、該弦巻バネの上端部に備える当接板を介して、該基板の下面に設置密度１２〜１６個／ｍ２で取り付けられたタンブリングパネルであることにある。
【００１８】
前記弾性部材は、着脱可能に取り付けられ得る。
【００１９】
前記弾性部材は、弾性の異なる複数種の前記弾性部材から選択され得る。
【００２０】
更にまた、本発明の要旨とするところは、床に敷設されるタンブリング台用のタンブリングパネル連結構造であって、
基板と、
該基板に隣接する隣接基板と、
間隔をおいて対向する上下一対の平板と、該平板の長手方向中央部で該平板と直角に配された板状結合部とを含んで成る断面Ｈ字形の連結部材と、
止めネジと、
開脚釘と
を含み、
該基板の縁部が該一対の平板の間に挿入され、
該隣接基板の縁部が該板状結合部を隔てて該一対の平板の間に挿入され、
下側の前記平板に挿通孔が形成され、前記止めネジが該挿通孔を挿通して下側の前記基板の縁部にねじ込まれ、
上側の前記平板と該隣接基板とを貫通する貫通孔が形成され、該開脚釘が該貫通孔に打入された
タンブリングパネル連結構造であることにある。
【００２１】
【発明の実施の形態】
本発明に係る態様を図面に基づいて詳しく説明する。図１（ａ）は本発明に係るタンブリング台３０の断面模式図であり、建物の床３２に敷設されたタンブリング台３０が、タンブリングパネル３４と、タンブリングパネル３４の上面に敷設されたタンブリングマット３３から構成されている。タンブリングマット３３は不図示の１乃至複数層の弾性シートを含んで成り、更にその弾性シートの上に不図示の専用のカーペットが敷設されているものである。タンブリングパネル３４は合板から成る基板３６と、基板３６の下面に取り付けられた弾性部材３８を含んで構成されている。弾性部材３８は、略立方体形状の多孔質のウレタンから成る。基板３６の下面には、弾性部材３８を着脱可能に取り付けるための取り付け手段４０である溝形の取り付け部材４２が、下向きに開口させて固定されている。弾性部材３８は、溝形の取り付け部材４２の溝部４４に上方の一部が嵌入されている。図１（ｂ）は、図１（ａ）のタンブリング台３０のＡ−Ａ´方向の断面矢視模式図である。
【００２２】
本発明のタンブリングパネル３４のこのような構成により、個々の弾性部材３８、例えば図面視右の弾性部材３８を溝部４４からはずして不図示の別の弾性部材に交換することが簡単な操作で出来る。また、タンブリングパネル３４にこのような態様で装着されている全ての弾性部材３８を一斉に不図示の別の種類の弾性部材、例えば弾性部材３８より硬めの弾性部材、或いは柔らかめの弾性部材に、簡単な操作で交換することが出来る。
【００２３】
取り付け部材４２の形状は溝形に限定されず、弾性部材３８の上方及び／又は側面を保持したり、挟持したり、嵌めこませたりするものであればよい。例えば、下方に向けて開口を有する枡形であってもよい。取り付け部材４２は金属製であってもよい。プラスチック成型品であってもよい。
【００２４】
本発明においては、図２の側面図に示すタンブリングパネル３４ａのように、溝形の取り付け部材４２ａが長尺であり、四角柱状の多孔質のポリウレタンから成る弾性部材３８ａが、長手方向を基板３６の面と平行にして取り付けられていてもよい。なお、弾性部材３８ａの形状は四角柱状に限定されず、図２（ｂ）及び（ｃ）に示すように、縦断面が上方から下方にかけて先太り又は先細りの形状から成る弾性部材３８ｂ、３８ｃであってもよい。弾性部材３８ｂ、３８ｃに作用する荷重により弾性部材３８ｂ、３８ｃが縮むとき、横断面積の違いによって弾性部材３８ｂ、３８ｃが縮むにつれて反発力は拡大し、床運動等に最適な柔軟な反発力を得ることが出来る。
【００２５】
弾性部材３８の形状は立方体状、直方体状、円柱状、或いは縦断面が上方から下方にかけて先太り又は先細り形状であることが好ましいが、一部に曲面又は折れ面が形成された形状であってもよい。多面体形状であってもよい。取り付け部材４２、４２ａの形状は弾性部材の形状に応じて選択される。また、弾性部材３８、３８ａ、３８ｂ、３８ｃの材質はポリウレタンやポリウレタン系樹脂に限定されず、例えば、天然ゴムやポリエステル系、ポリエーテル系、ポリオレフィン系、酢酸ビニル系、ブタジエン系、イソプレン系、及びそれらの共重合系の高分子のようなゴム弾性を有する高分子であってもよい。弾性部材３８等は多孔質であることが好ましいが、弾性を有するものであれば多孔質でなく緻密な構造のゴム弾性を有する高分子であってもよい。更に、図３に示すような、内部に空間Ｓを有し、空間Ｓに気体又は液体が充填されたクッション材から成る弾性部材３８ｄであってもよい。弾性部材３８ｄはクッション材と、気体又は液体との相互作用によって、より最適な反発力を得ることが出来る。更には、空間Ｓに充填される液体に粘性が異なるものを適用することにより、演技の種類、練習の目的等の使用条件に応じて最適な反発力を有する弾性部材３８ｄを選択することが出来る。
【００２６】
また、本発明においては、図４の断面模式図に示すタンブリングパネル３４ｂのように、弾性部材３８と基板３６とが粘着性接着層４４を介して着脱可能に接着されていてもよい。粘着性接着層４４は基板３６に設けられていてもよいが、図５に示すように、弾性部材３８の上面に設けられていてもよい。
【００２７】
更に、図６に示すように、弾性部材３８ｅがバネ４６、バネ受け４８及び蓋５０から成る場合は、基板３６の下面に設けられた取り付け手段４０ａを介して弾性部材３８ｅが基板３６に着脱自在に固定されてもよい。取り付け手段４０ａは、蓋５０の両側端それぞれのスライダ部５１を摺動させて係合する摺動受け５５を備える。摺動受け５５は、基板３６に基板３６と平行に固定された基台板５２から成り、基台板５２両側端それぞれが内側にコの字形にまげられて摺動受け部５３が形成されている。この態様は、基板側、バネ側とも大きな突出部がなく、それぞれを個別に重ねて収納する際にかさばらないので好ましい。なお、バネ４６の形状は図示した円柱形に限定されず、円錐形、鼓形、或いは樽形であってもよい。バネ４６の種類も図示した弦巻バネに限定されず、例えば、図７に示す板ばね４７であってもよく、また、竹の子ばねであってもよい。
【００２８】
取り付け手段４０ａは、図６に示す態様の他に、基台板５２に固定用ボルトを下向きに立設させ、蓋５０の上面部を横に張り出させ、その張り出させた部分に設けた貫通孔にその固定用ボルトを挿通させて、蝶ナットで締結する態様であってもよい。基台板５２に、下向きに開口する盲貫孔を設け、蓋５０の上面部に設けた突起をその盲貫孔に挿入する態様であってもよい。取り付け手段としては、その他に、部材同士を着脱可能に連結する公知の方法を用いることが出来る。
【００２９】
本発明のタンブリングパネルの他の態様としては、図８に示すように、タンブリングパネル３４ｃが、基板３６と、基板３６の下面に取り付けられた複数の弾性部材３８ｆを含んで構成されている。弾性部材３８ｆは、バネ４６ａと、バネ４６ａが収納されたシリンダ部５４と、シリンダ部５４に嵌合されたピストン部５７から構成されている。弾性部材３８ｆをこのような構成とすることにより、弾性部材３８ｆに側圧が作用した場合であっても、バネ４６ａに直接作用することがなく、タンブリングパネル３４ｃの横振れの発生を防止することが出来る。なお、弾性部材３８ｆは、上述の取り付け手段４０ａによって基板３６の下面に着脱自在に取り付けられてもよい。また、シリンダ部５４及びピストン部５７の形状や構造は図示したものに限定されず、公知のダンパー構造を適用することが出来る。
【００３０】
本発明のタンブリングパネルの下面に取り付けられる弾性部材には、上述した弾性部材３８等から選択された２以上の弾性部材を組み合わせて使用してもよい。組み合わせの態様は特に限定されず、例えば、図９（ａ）に示すように、バネ４６の内側に、弾性部材３８ｇが嵌合された複合バネ３９のような態様であってもよい。図９（ｂ）に示すように、バネ４６の内側に、バネ４６の自由長より短いバネ４６ｂが嵌合された複合バネ３９ａのような態様であってもよい。複合バネ３９ａでは、小さな荷重はバネ４６で受け、荷重が大きくなるとバネ４６と共にバネ４６ｂも作用して、より大きな荷重を受けることができ、荷重に応じた適正な反発力を得ることが出来る。また、異種の弾性部材が基板の下面に交互に取り付けられてもよく、例えば、上記の複合バネ３９、３９ａにおけるバネ４６と、弾性部材３８ｇ及びバネ４６ｂとが嵌合されることなく、交互に配置された態様であってもよい。
【００３１】
更に、弾性部材の組み合わせの他の態様としては、例えば、図１０に示すように、基板３６から鉛直方向に設けられるバネ４６、基板３６から斜め下方向に設けられるバネ４６ｃ、バネ受け４８ａ及び蓋５０ａから成る複合バネ３９ｂのような態様であってもよい。このような構成とすることによって、タンブリングパネル３４ｄに作用する上下方向の荷重にはバネ４６の弾性力が好適に作用し、左右方向の荷重にはバネ４６ｃの弾性力が好適に作用し、床運動等に最適な反発力を有するタンブリングパネル３４ｄを得ることが出来る。特に、競技者の斜め蹴りによりバネ４６に作用する側圧をバネ４６ｃによって効果的に吸収することができ、横振れの発生を抑制することが出来る。
【００３２】
このように複数種の弾性部材を組み合わせて使用することにより、選択された弾性部材３８等の相互作用によって床運動等に最適な反発力を得ることが出来る。なお、弾性部材３８等の組み合わせにおいては、異種の弾性部材３８等の組み合わせに限らず、弾性の異なる同種の弾性部材３８等を選択して使用されてもよい。
【００３３】
本発明のタンブリングパネルの更に他の態様としては、図１１に示すように、タンブリングパネル３４ｅが、基板３６と、基板３６の下面に取り付けられた複数の弾性部材３８ｈを含んで構成されている。弾性部材３８ｈは、バネ４６ｄ、バネ受け４８ｂ及び当接板５６から成り、バネ４６ｄは弦巻バネである。当接板５６は、バネ４６ｄの外径より大きい径を有する円形の板状体から成り、当接板５６には、複数の挿通孔が設けられている。弾性部材３８ｈは、挿通孔を挿通する止めネジ５４によって基板３６に固定される。なお、弾性部材３８ｈは、上述の取り付け手段４０ａによって基板３６に着脱自在に取り付けられてもよい。
【００３４】
ここで、弾性部材３８ｈにバネ４６ｄを適用する場合、床運動等に最適な粘弾性的な反発力を有するタンブリングパネルを得るためには、バネ４６ｄの仕様、及び設置密度が特に重要となる。タンブリングパネル３４ｅの柔軟な反発力は、バネ４６ｄの弾性と基板３６の撓み弾性及び撓み粘性との総合的な作用によって得られるものと考えられる。つまり、弾性部材３８ｈの直上付近では、バネ４６ｄの弾性がタンブリングパネル３４ｅの反発力に影響を及ぼすこととなり、隣接する弾性部材３８ｈ間では、バネ４６ｄの弾性に加えて基板３６の撓み弾性がタンブリングパネル３４ｅの反発力に影響を及ぼす。従って、タンブリングパネル３４ｅの全面において適正な反発力を得るためには、基板３６の弾性、バネ４６ｄの仕様、及び設置密度を考慮して総合的に判断する必要があり、中でもバネ４６ｄの仕様及び設置密度が、基板３６の撓み弾性との関係において特に重要となる。
【００３５】
そこで、弾性部材３８ｈに適用するバネ４６ｄの仕様としては、外径Ｄが６０〜７０ｍｍのものが好ましく、特に好ましいのは６３．５ｍｍである。外径Ｄが６０ｍｍ未満の場合には、バネ４６ｄに作用する側圧によってタンブリングパネル３４ｅに横振れが生じ易くなり、７０ｍｍを超える場合には、基板３６の弾性を有効に活用することが困難となり、床運動等に最適な柔軟な反発力を得ることが出来ない。また、自由長Ｈは８０〜１００ｍｍのものが好ましく、特に好ましいのは９０ｍｍである。８０ｍｍ未満では競技者が底つき感を感じ、１００ｍｍを超える場合には、側圧による横振れが生じ易くなる。更に、ピッチＰは２４〜２８ｍｍのものが好ましく、特に好ましいのは２５．７ｍｍである。ピッチＰは自由長Ｈとの関係でバネ４６ｄの巻数に影響を与えることとなるが、２４ｍｍ未満では巻数が多くなるため柔軟な反発力を得ることが出来ず、２８ｍｍを超えると巻数が少なくなるため競技者が底つき感を感じることとなる。更にまた、線径φは６〜７ｍｍのものが好ましく、特に好ましいのは６．５ｍｍである。線径φは外径Ｄ及び自由長Ｈを考慮して設定されるが、線径φが６ｍｍ未満では競技者が底つき感を感じて競技に悪影響を与えることとなり、７ｍｍを超えると柔軟な反発力を得ることが出来ない。
【００３６】
また、図１２に示すように、タンブリングパネル３４ｅの幅Ｗが１．２ｍ、長さＬが２．４ｍの場合、弾性部材３８ｈを幅Ｗ方向に等間隔で５列、長さＬ方向に等間隔で８列の合計４０個、すなわち設置密度を１ｍ２あたり１３．９個とするのが特に好ましい。床運動等に最適な柔軟な反発力を得るためには弾性部材３８ｈを多数使用することが好ましいが、１６個／ｍ２超えるとタンブリングパネル３４ｅの柔軟性が損なわれることとなり、一方、１２個／ｍ２未満の場合には、競技者が底つき感を感じると共に、隣接する弾性部材３８ｈの間隔が広くなることによって弾性部材３８ｈ間の基板３６に板割れが生じる場合があり、競技者にとって危険となる。
【００３７】
従って、タンブリングパネル３４ｅにおける弾性部材３８ｈに適用するバネ４６ｄの仕様及び設置密度を上記の態様とすることにより、基板３６の弾性を最大限に有効活用することが出来る。つまり、基板３６の弾性とバネ４６ｄの弾性の相互作用によって、床運動等に最適な反発力をタンブリングパネル３４ｅの全面において得ることが出来ると共に、競技者に底つき感を与えることがない。更に、バネ４６ｄに作用する側圧による横振れや隣接する弾性部材３８ｈ間における板割れの発生を防止することも可能となる。
【００３８】
本発明のタンブリングパネルにおいては、基板３６と、基板３６に隣接する基板３６ａとが、図１３（ａ）の断面図、図１３（ｂ）の平面図に示すように、タンブリングパネル連結構造６１により、連結部材６０を介して連結される。連結部材６０は基板３６の側縁に沿って所定の間をおいて複数個が配されている。連結部材６０は間隔をおいて対向する上下一対の平板６２、６２と、平板６２、６２の長手方向中央部で平板６２と直角に配された板状結合部６４とを含んで成り、断面Ｈ字形の形状をなしている。
【００３９】
基板３６は、縁部が一対の平板６２、６２の間に挿入されている。下側の平板６２には挿通孔６５が形成され、挿通孔６５を挿通する止めネジ６６により、下側の平板６２と基板３６の縁部とが予め締結固定されている。隣接基板３６ａの縁部が板状結合部６４を隔てて一対の平板６２、６２の間に挿入される。隣接基板３６ａの縁部には上側の平板６２と隣接基板３６ａとを貫通する貫通孔７０が予め形成されている。隣接基板３６ａの縁部を平板６２、６２の間に挿入したところで、開脚釘７２が上方から貫通孔７０に打入されて、上側の平板６２と隣接基板３６ａとが結合される。
【００４０】
この態様で基板３６と隣接基板３６ａとが、連結部材６０を介して連結される。開脚釘７２は、釘尾あるいは長手方向中央に外側に向けて弾性的に開脚した開脚部を備えた釘であり、孔に打ち込まれると開脚部が孔の壁面に向けて付勢される釘である。この付勢により、開脚釘７２は抜けにくくなっており、上側の平板６２と隣接基板３６ａとが確実に固定される。開脚釘７２は、釘頭７４をマイナスドライバー等の先端が細まった棒状治具の先端に係合させて簡単な操作で引き抜くことが出来る。なお、開脚釘７２は金属製であってもよいが、コストや操作性のうえで、プラスチック製であることが好ましい。
【００４１】
なお、本明細書においては、各図にわたって記される同じ符号は同一又は同様の部材やものを示す。
【００４２】
以上本発明の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００４３】
【発明の効果】
本発明のタンブリングパネルは、弾性材を選択的に、あるいは一斉に、迅速に交換できる。
【００４４】
また、本発明のタンブリングパネルには底つき感がなく、横振れや板割れが発生しない。
【００４５】
更に、本発明のタンブリングパネルは、適度な弾性と反発力を有し、競技者のひざ等に過度の衝撃を与えない。
【００４６】
更に、本発明のタンブリングパネルは、基板同士の連結・解体作業が迅速に行える。
【図面の簡単な説明】
【図１】図１（ａ）は本発明に係るタンブリング台３０の断面模式図であり、（ｂ）は、（ａ）のタンブリング台のＡ−Ａ´方向の断面矢視模式図である。
【図２】図２（ａ）は本発明に係るタンブリング台の他の態様を示す側面図であり、（ｂ）及び（ｃ）は、（ａ）のタンブリング台の他の態様の断面模式図である。
【図３】本発明に係るタンブリング台の更に他の態様を示す断面模式図である。
【図４】本発明に係るタンブリング台の又更に他の態様を示す断面模式図である。
【図５】本発明に係るタンブリング台に用いられる粘着性接着層を有する弾性部材の態様を示す断面模式図である。
【図６】本発明に係るタンブリング台の別の態様を示す断面模式図である。
【図７】本発明に係るタンブリング台に用いられる他の弾性部材の態様を示す断面模式図である。
【図８】本発明に係るタンブリング台に用いられる更に他の弾性部材の態様を示す断面模式図である。
【図９】図９（ａ）は、本発明に係るタンブリング台に用いられる弾性部材の組み合わせの態様を示す断面模式図であり、（ｂ）は組み合わせの他の態様を示す断面模式図である。
【図１０】本発明に係るタンブリング台に用いられる弾性部材の組み合わせの更に他の態様を示す断面模式図である。
【図１１】本発明に係るタンブリング台の更に別の態様を示す断面模式図である。
【図１２】本発明のタンブリングパネルの平面図である。
【図１３】本発明のタンブリングパネルにおける基板同士の連結の態様を示し、（ａ）は断面図、（ｂ）は平面図である。
【図１４】従来のタンブリング台の構成を示す断面模式図である。
【図１５】他の態様の従来のタンブリング台の構成を示す要部斜視模式図である。
【符号の説明】
３、３ａ、３６：基板
１２、３４、３４ａ〜３４ｅ：タンブリングパネル
１０、１１、３０：タンブリング台
１４、６０：連結部材
３２：建物の床
３３：タンブリングマット
３６ａ：隣接基板
３８、３８ａ〜３８ｈ：弾性部材
４０、４０ａ：取り付け手段
４２、４２ａ：取り付け部材
４４：溝部
６１：タンブリングパネル連結構造
６２：平板
６４：板状結合部
６５：挿通孔
６６：止めネジ
７０：貫通孔
７２：開脚釘
Ｓ：空間
φ：線径
Ｄ：外径
Ｈ：自由長
Ｐ：ピッチ
【図１】
2004081838.tif 000003
【図２】
2004081838.tif 000004
【図３】
2004081838.tif 000005
【図４】
2004081838.tif 000006
【図５】
2004081838.tif 000007
【図６】
2004081838.tif 000008
【図７】
2004081838.tif 000009
【図８】
2004081838.tif 000010
【図９】
2004081838.tif 000011
【図１０】
2004081838.tif 000012
【図１１】
2004081838.tif 000013
【図１２】
2004081838.tif 000014
【図１３】
2004081838.tif 000015
【図１４】
2004081838.tif 000016
【図１５】
2004081838.tif 000017